(57)【要約】【課題】移動先の電話端末にて登録済みの内線番号を用いて接続要求がなされた場合に、事前に移動元の電話端末の接続状態を解除することなく、移動先の電話端末を使用可能な電話交換装置を提供する。【解決手段】ボタン電話装置ＢＴにおいて、移動先となる家庭に設置されたＩＰ電話端末Ｔ２１から運用中のＩＰ電話端末Ｔ１１の内線番号と同一の内線番号を含むログイン要求を受信した場合に、制御部１３にてＩＰ電話端末Ｔ１１が接続中端末情報データベース１４１に存在するか否かを判定し、存在する場合に、接続中端末情報データベース１４１中のＩＰ電話端末Ｔ１１を示す識別情報に対応する運用情報を「接続中」から「接続なし」に更新し、ＩＰ電話端末Ｔ２１の識別情報と内線番号「ＤＮ２０００」と「接続中」を示す運用情報とを対応付けて接続中端末情報データベース１４１中に記録するようにしている。【選択図】      図１
2007318612.tif 000002
【特許請求の範囲】
【請求項１】
パケット通信網に接続される複数の電話端末それぞれの端末ＩＤ及び接続ＩＤと運用中の有／無を示す運用情報とを対応付けた管理テーブルに基づいて、運用中にある複数の電話端末間の通信接続を実行する電話交換装置において、
予め決められた条件に基づいて、前記管理テーブル中の該当する電話端末の端末ＩＤに対応する運用情報を更新する制御手段を備えたことを特徴とする電話交換装置。
【請求項２】
前記制御手段は、前記条件として、前記管理テーブル中で運用中にある第１の電話端末の接続ＩＤと同一の接続ＩＤを含む接続要求が前記第１の電話端末とは異なる第２の電話端末から到来したときに、前記接続ＩＤに基づいて、前記管理テーブル中の前記第１の電話端末の端末ＩＤに対応する運用情報を「有」から「無」に更新し、前記第２の電話端末の端末ＩＤ及び接続ＩＤと「有」を示す運用情報とを対応付けて前記管理テーブルに記録することを特徴とする請求項１記載の電話交換装置。
【請求項３】
前記制御手段は、前記条件として、前記管理テーブル中で運用中にある前記第２の電話端末から運用解除の旨の要求が到来したときに、前記管理テーブル中の前記第２の電話端末の端末ＩＤに対応する運用情報を「有」から「無」に更新し、前記第１の電話端末の端末ＩＤ及び接続ＩＤに対応する運用情報を「無」から「有」に更新することを特徴とする請求項２記載の電話交換装置。
【請求項４】
前記制御手段は、前記条件として、前記管理テーブル中で運用中にある前記第２の電話端末の接続ＩＤと同一の接続ＩＤを含む接続要求が前記第１及び第２の電話端末とは異なる第３の電話端末から到来したときに、前記接続ＩＤに基づいて、前記管理テーブル中の前記第２の電話端末の端末ＩＤに対応する運用情報を「有」から「無」に更新し、前記第３の電話端末の端末ＩＤ及び接続ＩＤと「有」を示す運用情報とを対応付けて前記管理テーブルに記録することを特徴とする請求項２記載の電話交換装置。
【請求項５】
前記制御手段は、前記条件として、前記管理テーブル中で運用中にある前記第３の電話端末から運用解除の旨の要求が到来したときに、前記管理テーブル中の前記第３の電話端末の端末ＩＤに対応する運用情報を「有」から「無」に更新し、前記第２の電話端末の端末ＩＤ及び接続ＩＤに対応する運用情報を「無」から「有」に更新することを特徴とする請求項４記載の電話交換装置。
【請求項６】
前記制御手段は、前記条件として、前記管理テーブル中で運用中にある前記第３の電話端末から運用解除の旨の要求が到来し、かつ前記第２の電話端末への復旧が不可能な場合に、前記管理テーブル中の前記第３の電話端末の端末ＩＤに対応する運用情報を「有」から「無」に更新し、前記第１の電話端末の端末ＩＤ及び接続ＩＤに対応する運用情報を「無」から「有」に更新することを特徴とする請求項４記載の電話交換装置。
【請求項７】
前記管理テーブルが複数の電話端末それぞれの端末ＩＤ及び接続ＩＤと運用中の有／無を示す運用情報とを対応付けた第１のテーブルと、移動元となる第１及び第２の電話端末それぞれの端末ＩＤを記憶した第２のテーブルとから成るとき、
前記制御手段は、前記条件として、前記第１のテーブル中で運用中にある前記第３の電話端末から運用解除の旨の要求が到来し、かつ前記第１及び第２の電話端末への復旧が不可能な場合に、前記第１のテーブル中の前記第３の電話端末の端末ＩＤに対応する運用情報を「有」から「無」に更新するとともに、前記第２のテーブル中の第１及び第２の電話端末それぞれの端末ＩＤを消去することを特徴とする請求項４記載の電話交換装置。
【発明の詳細な説明】
【技術分野】
【０００１】
この発明は、例えばＩＰ(Internet Protocol)電話システム等のように、ＩＰ網を介して電話端末間で通信接続を実行する電話交換装置に関する。
【背景技術】
【０００２】
近年、パケット網を介して、双方向に画像や音声をパケットデータとして、リアルタイムに送受信するネットワーク電話システム（ＩＰ電話システム）が普及し始めている。このＩＰ電話システムでは、パケット網に接続されるＩＰ電話端末間で音声通信を行うことができるとともに、ＩＰ電話端末と公衆網に接続される電話端末との間で音声通信を行うことができる。
【０００３】
ところで、上記ＩＰ電話システムでは、パケット網に接続される複数のＩＰ電話端末それぞれの内線番号を電話交換装置で管理するようにしている。しかしながら、従来では、電話交換装置に未登録であり別の場所に設置してあるＩＰ電話端末でも音声通信を可能にすることも強く要望されている。ここで、電話交換装置に登録済みの同一内線番号により新たなＩＰ電話端末の接続を行なうと、電話交換装置はその接続を拒否してしまうことになる。従って、同一内線番号により新たなＩＰ電話端末を接続するためには、事前に接続中のＩＰ電話端末の接続を外し、新たなＩＰ電話端末を接続する必要がある。
【０００４】
なお、従来では、電話交換装置に、ＩＰ電話端末ごとのユーザ認証番号／パスワード／内線番号／自席ＩＰ電話端末のＩＰアドレスの対応データを保存しておき、ユーザが任意のＩＰ電話端末を使用してユーザ認証番号／パスワードを入力すると、対応する内線番号と自席ＩＰ電話端末のＩＰアドレスを検出して自席ＩＰ電話端末から個人情報を要求元となる新たなＩＰ電話端末にダウンロードしてログインを完了する手法もある（例えば、特許文献１）。
【特許文献１】特開２００４−３２０６２９公報。
【発明の開示】
【発明が解決しようとする課題】
【０００５】
しかしながら、上記手法では、自席ＩＰ電話端末に設定されている個人情報を新たに接続されるＩＰ電話端末にダウンロードするものであり、新たなＩＰ電話端末で音声通信を行なうものではない。
【０００６】
そこで、この発明の目的は、移動先の電話端末にて登録済みの内線番号を用いて接続要求がなされた場合に、事前に移動元の電話端末の接続状態を解除することなく、移動先の電話端末を使用可能な電話交換装置を提供することにある。
【課題を解決するための手段】
【０００７】
この発明は、上記目的を達成するために、以下のように構成される。  
パケット通信網に接続される複数の電話端末それぞれの端末ＩＤ及び接続ＩＤと運用中の有／無を示す運用情報とを対応付けた管理テーブルに基づいて、運用中にある複数の電話端末間の通信接続を実行する電話交換装置において、予め決められた条件に基づいて、管理テーブル中の該当する電話端末の端末ＩＤに対応する運用情報を更新する制御手段を備えるようにしたものである。
【０００８】
なお、制御手段は、条件として、管理テーブル中で運用中にある第１の電話端末の接続ＩＤと同一の接続ＩＤを含む接続要求が第１の電話端末とは異なる第２の電話端末から到来したときに、接続ＩＤに基づいて、管理テーブル中の第１の電話端末の端末ＩＤに対応する運用情報を「有」から「無」に更新し、第２の電話端末の端末ＩＤ及び接続ＩＤと「有」を示す運用情報とを対応付けて管理テーブルに記録することを特徴とする。
【０００９】
この構成によれば、移動先に設置された第２の電話端末から運用中の第１の電話端末の接続ＩＤと同一の接続ＩＤを含む接続要求が到来した場合に、接続ＩＤに基づいて、管理テーブル中の第１の電話端末の端末ＩＤに対応する運用情報を「有」から「無」に更新し、第２の電話端末の端末ＩＤ及び接続ＩＤと「有」を示す運用情報とを対応付けて管理テーブル中に記録するようにしている。
【００１０】
従って、移動元に設置される第１の電話端末の運用状態を解除する操作を事前に行なう必要がなく、簡単な手順により移動先の第２の電話端末を使用することができる。
【００１１】
制御手段は、条件として、管理テーブル中で運用中にある第２の電話端末から接続解除要求が到来したときに、管理テーブル中の第２の電話端末の端末ＩＤに対応する運用情報を「有」から「無」に更新し、第１の電話端末の端末ＩＤに対応する運用情報を「無」から「有」に更新することを特徴とする。
【００１２】
この構成によれば、移動先の第２の電話端末にて接続解除要求を送出する操作を行なうだけで、簡単な手順により移動元の第１の電話端末を使用することができる。
【００１３】
制御手段は、条件として、管理テーブル中で運用中にある第２の電話端末の接続ＩＤと同一の接続ＩＤを含む接続要求が第１及び第２の電話端末とは異なる第３の電話端末から到来したときに、管理テーブル中の第２の電話端末の端末ＩＤに対応する運用情報を「有」から「無」に更新し、第３の電話端末の端末ＩＤ及び接続ＩＤと「有」を示す運用情報とを対応付けて管理テーブルに記録することを特徴とする。
【００１４】
この構成によれば、第２の電話端末から第３の電話端末へとユーザが頻繁に移動することがあっても、第２の電話端末の運用状態を解除する操作を行なう必要がなく、簡単な手順により移動先の第３の電話端末を使用することができる。
【００１５】
制御手段は、条件として、管理テーブル中で運用中にある第３の電話端末から運用解除の旨の要求が到来したときに、管理テーブル中の第３の電話端末の端末ＩＤに対応する運用情報を「有」から「無」に更新し、第２の電話端末の端末ＩＤ及び接続ＩＤに対応する運用情報を「無」から「有」に更新することを特徴とする。
【００１６】
この構成によれば、移動先に設置される第３の電話端末にて運用を解除する操作がなされた場合に、簡単な手順により１つ前の第２の電話端末を使用することができる。
【００１７】
制御手段は、条件として、管理テーブル中で運用中にある第３の電話端末から運用解除の旨の要求が到来し、かつ第２の電話端末への復旧が不可能な場合に、管理テーブル中の第３の電話端末の端末ＩＤに対応する運用情報を「有」から「無」に更新し、第１の電話端末の端末ＩＤ及び接続ＩＤに対応する運用情報を「無」から「有」に更新することを特徴とする。
【００１８】
この構成によれば、移動先に設置される第３の電話端末にて運用を解除する操作がなされ、かつ第２の電話端末が復旧できない場合には、管理テーブル中で蓄積管理された第１乃至第３の電話端末の運用情報を用いることで、保守員による第２の電話端末に対する復旧操作を待たずに移動元となる第１の電話端末を迅速に復旧させることができる。
【００１９】
制御手段は、条件として、管理テーブル中で運用中にある第３の電話端末から運用解除の旨の要求が到来し、かつ第１及び第２の電話端末への復旧が不可能な場合に、管理テーブル中の第３の電話端末の端末ＩＤに対応する運用情報を「有」から「無」に更新することを特徴とする。
【００２０】
この構成によれば、移動先に設置される第３の電話端末にて運用を解除する操作がなされ、かつ第１及び第２の電話端末が復旧できない場合には、管理テーブル中の第３の電話端末の端末ＩＤに対応する運用情報を「有」から「無」に更新して移動状態をクリアするようにしている。
【発明の効果】
【００２１】
以上詳述したようにこの発明によれば、移動先の電話端末にて登録済みの内線番号を用いて接続要求がなされた場合に、事前に移動元の電話端末の接続状態を解除することなく、移動先の電話端末を使用可能な電話交換装置を提供することができる。
【発明を実施するための最良の形態】
【００２２】
以下、この発明の実施形態について図面を参照して詳細に説明する。  
（第１の実施形態）  
図１は、この発明の第１の実施形態に係わるＩＰ電話システムの概略構成図である。
【００２３】
このシステムは、パケット通信用のＩＰ網ＩＰＮを有する。ＩＰ網ＩＰＮは、オフィス、家庭等まで敷設され、オフィスでＩＰ電話端末Ｔ１１〜Ｔ１ｉ（ｉは自然数）が接続され、家庭でＩＰ電話端末Ｔ２１が接続される。なお、ＩＰ電話端末Ｔ１１〜Ｔ１ｉ,Ｔ２１は、通話処理機能と映像等のメディア情報処理機能とを備えている。
【００２４】
また、これらＩＰ電話端末Ｔ１１〜Ｔ１ｉ,Ｔ２１は、ＩＰ網ＩＰＮを介して電話交換装置としてのボタン電話装置ＢＴに接続されている。なお、ボタン電話装置ＢＴはオフィスに設置されているものとする。
【００２５】
ボタン電話装置ＢＴは、網インタフェース（Ｉ／Ｆ）部１１と、パケット処理部１２と、制御部１３と、記憶部１４とを備えている。これら網インタフェース部１１、パケット処理部１２、制御部１３及び記憶部１４は、データハイウェイ１５を介して互いに接続されている。
【００２６】
網インタフェース部１１には、ＩＰ網ＮＷが必要に応じて接続される。網インタフェース部１１は、接続されたＩＰ網ＮＷとの間でインタフェース処理を行なう。また、網インタフェース部１１は、上記インタフェース処理に係わる種々の制御情報の授受を、データハイウェイ１５を介して制御部１３との間で行う。
【００２７】
パケット処理部１２は、ＩＰ網ＮＷから受信した制御パケット及び音声パケットを処理する。  
制御部１３は、ＣＰＵ、ＲＯＭ、ＲＡＭなどを有して構成され、ソフトウェア処理によりボタン電話装置ＢＴの各部の制御を行う。  
記憶部１４は、制御部１３の接続制御に必要なルーティング情報等を格納している。
【００２８】
ところで、記憶部１４には、接続中端末情報データベース１４１と、ＩＰ電話端末移動パスワードデータベース１４２と、移動元端末情報データベース１４３と、ＩＰ電話端末移動可否データベース１４４とが設けられている。
【００２９】
接続中端末情報データベース１４１には、図２に示すように、ＩＰ電話端末Ｔ１１〜Ｔ１ｉ，Ｔ２１に予め割り当ててある端末ＩＤとしての識別情報（端末名）と、内線番号（ＤＮ）と、運用状態との対応関係を表すテーブルが記憶されている。
【００３０】
ＩＰ電話端末移動パスワードデータベース１４２には、図３に示すように、内線番号とパスワードとの対応関係を表すテーブルが記憶されている。
【００３１】
移動元端末情報データベース１４３には、図４に示すように、内線番号の移動がなされた移動元の例えばＩＰ電話端末Ｔ１１を表す情報が記憶される。
【００３２】
ＩＰ電話端末移動可否データベース１４４には、図５に示すように、内線番号と移動可否を示す情報との対応関係を表すテーブルが記憶される。
【００３３】
次に、上記構成における動作について説明する。図６は、ボタン電話装置ＢＴに対し接続中にあるＩＰ電話端末Ｔ１１をＩＰ電話端末Ｔ２１に切り替える際のボタン電話装置ＢＴとＩＰ電話端末Ｔ１１，Ｔ２１との間の情報の送受信動作を示すシーケンス図であり、図７は、ボタン電話装置ＢＴ及びＩＰ電話端末Ｔ１１，Ｔ２１の制御処理手順を示すフローチャートである。  
いま、ＩＰ電話端末Ｔ１１がボタン電話装置ＢＴに接続されているものとする。この状態で、ＩＰ電話端末Ｔ２１においてユーザが、「ＤＮ２０００」を用いてボタン電話装置ＢＴへの接続を要求する操作、つまりログイン操作を行なったとする。
【００３４】
そうすると、ＩＰ電話端末Ｔ２１からそのログイン要求がボタン電話装置ＢＴに送られる。このとき、ＩＰ電話端末Ｔ２１は、ステップＳＴ２ａからステップＳＴ２ｂに移行してここでログイン待ち状態となる。なお、上記ログイン要求には、ＩＰ電話端末Ｔ２１の識別情報及び「ＤＮ２０００」が含まれる。
【００３５】
上記接続要求を受信するとボタン電話装置ＢＴの制御部１３は、ログイン要求に含まれる「ＤＮ２０００」が接続中端末情報データベース１４１中に存在するか否かを判定し（ステップＳＴ１ａ）、存在する場合に、「ＤＮ２０００」に対応するＩＰ電話端末Ｔ１１が稼動中であるか否かを判定し（ステップＳＴ１ｂ）、稼動中であれば、ＩＰ電話端末移動可否データベース１４４を参照し、その「ＤＮ２０００」の端末移動可否の設定状況を判定する（ステップＳＴ１ｃ）。
【００３６】
ここで、移動可であれば、ボタン電話装置ＢＴの制御部１３は、パスワードの入力をＩＰ電話端末Ｔ２１へ要求し（ステップＳＴ１ｄ）、パスワード入力待ち状態に入る（ステップＳＴ１ｅ）。パスワード入力要求を受信するとＩＰ電話端末Ｔ２１は、パスワード入力の旨のメッセージを表示器に表示させる。
【００３７】
この状態でユーザが、ＩＰ電話端末Ｔ２１においてパスワードを入力したとする。そうするとＩＰ電話端末Ｔ２１は、パスワードをボタン電話装置ＢＴに送信し（ステップＳＴ２ｃ）、パスワード受付待ちの状態に入る（ステップＳＴ２ｄ）。
【００３８】
ボタン電話装置ＢＴの制御部１３は、ＩＰ電話端末移動パスワードデータベース１４２中の「ＤＮ２０００」に対応するパスワードとＩＰ電話端末Ｔ２１から送られたパスワードのチェックを行う（ステップＳＴ１ｆ）。ここで、入力されたパスワードが正しい場合（ＯＫ）、ボタン電話装置ＢＴの制御部１３は、ＩＰ電話端末Ｔ１１に対し端末移動の要求を送信し（ステップＳＴ１ｇ）、待ち状態に入る（ステップＳＴ１ｈ）。
【００３９】
端末移動の要求を受信したＩＰ電話端末Ｔ１１は、端末移動のためのログアウト処理を実行し（ステップＳＴ３ａ）、端末移動の応答をボタン電話装置ＢＴに送信し（ステップＳＴ３ｂ）、「端末移動中」の状態になる（ステップＳＴ３ｃ）。
【００４０】
ＩＰ電話端末Ｔ１１からの端末移動の応答を受けたボタン電話装置ＢＴは、ＩＰ電話端末Ｔ２１に対しログインの応答を送信し（ステップＳＴ１ｉ）、ＩＰ電話端末Ｔ２１と接続状態になる。
【００４１】
以後、ボタン電話装置ＢＴの制御部１３は、接続中端末情報データベース１４１に対しＩＰ電話端末Ｔ２１の識別情報に対応付けて「ＤＮ２０００」及び「接続中」を記憶する。さらに、制御部１３は、移動元端末情報データベース１４３へ移動元が「ＩＰ電話端末Ｔ１１」である旨を記憶する。
【００４２】
移動中のＩＰ電話端末Ｔ１１は、定期的に再接続の要求をボタン電話装置ＢＴへ送信する。ＩＰ電話端末Ｔ１１からの再接続の要求を受けたボタン電話装置ＢＴは、「ＤＮ２０００」の接続状況を接続中端末情報データベース１４１から読出し、ＩＰ電話端末Ｔ２１が接続中であることを確認し、ＩＰ電話端末Ｔ１１へ再接続待ちの応答を行う。
【００４３】
なお、上記ステップＳＴ１ａにおいてログイン要求された内線番号が接続中端末情報データベース１４１中に存在しない場合や、上記ステップＳＴ１ｂにおいて内線番号に対応するＩＰ電話端末が停止中であった場合や、上記ステップＳＴ１ｃにおいて「移動否」であった場合には、ボタン電話装置ＢＴはＩＰ電話端末Ｔ２１に対するログインを拒否する。すると、ＩＰ電話端末Ｔ２１は、ログイン要求が解除され（ステップＳＴ２ｅ）、空き状態となる（ステップＳＴ２ｆ）。
【００４４】
また、上記ステップＳＴ１ｆにおいて、入力されたパスワードが正しくない場合（ＮＧ）、ボタン電話装置ＢＴはＩＰ電話端末Ｔ２１に対しパスワード拒否の旨のメッセージを送信する。すると、ＩＰ電話端末Ｔ２１は、パスワード受付を解除し（ステップＳＴ２ｇ）、空き状態となる（ステップＳＴ２ｈ）。
【００４５】
以上のように上記第１の実施形態では、ボタン電話装置ＢＴにおいて、移動先となる家庭に設置されたＩＰ電話端末Ｔ２１から運用中のＩＰ電話端末Ｔ１１の内線番号「ＤＮ２０００」と同一の内線番号を含むログイン要求を受信した場合に、内線番号「ＤＮ２０００」に対応するＩＰ電話端末Ｔ１１が接続中端末情報データベース１４１に存在するか否かを判定し、存在する場合に、接続中端末情報データベース１４１中のＩＰ電話端末Ｔ１１を示す識別情報に対応する運用情報を「接続中」から「接続なし」に更新し、ＩＰ電話端末Ｔ２１の識別情報と内線番号「ＤＮ２０００」と「接続中」を示す運用情報とを対応付けて接続中端末情報データベース１４１中に記録するようにしている。さらに、ＩＰ電話端末Ｔ１１を示す情報を、移動元端末情報データベース１４３に記憶しておくようにしている。
【００４６】
従って、移動元となるオフィスに設置されＩＰ電話端末Ｔ１１の接続状態を解除する操作を事前に行なう必要がなく、ログイン操作やパスワード入力といった簡単な操作手順により移動先となるＩＰ電話端末Ｔ２１にて内線番号「ＤＮ２０００」を用いて通話することができる。
【００４７】
（第２の実施形態）  
図８は、この発明の第２の実施形態として、移動中のＩＰ電話端末Ｔ２１が接続中のボタン電話装置ＢＴとの接続を解除し、ＩＰ電話端末Ｔ１１へ接続を復旧する際のボタン電話装置ＢＴとＩＰ電話端末Ｔ１１，Ｔ２１との間の情報の送受信動作を示すシーケンス図であり、図９は、ボタン電話装置ＢＴ及びＩＰ電話端末Ｔ１１，Ｔ２１の制御処理手順を示すフローチャートである。
【００４８】
いま、ＩＰ電話端末Ｔ２１がボタン電話装置ＢＴに接続されているものとする。この状態で、ＩＰ電話端末Ｔ２１においてユーザが、ボタン電話装置ＢＴへの接続解除を要求する操作、つまりログアウト操作を行なったとする。
【００４９】
そうすると、ＩＰ電話端末Ｔ２１からそのログアウト要求がボタン電話装置ＢＴに送られる。このとき、ＩＰ電話端末Ｔ２１は、ステップＳＴ５ａからステップＳＴ５ｂに移行してここでログアウト待ち状態となる。
【００５０】
ログアウト要求を受信したボタン電話装置ＢＴは、ログアウトの要求を受付け（ステップＳＴ４ａ）、接続中端末情報データベース１４１のＩＰ電話端末Ｔ２１の運用状態を「接続無し」に更新し、ログアウトの受付の旨のメッセージをＩＰ電話端末Ｔ２１へ送信する。
【００５１】
ログアウト受付を受けたＩＰ電話端末Ｔ２１は、ログアウト処理を実行し（ステップＳＴ５ｃ）、空き状態となる（ステップＳＴ５ｄ）。
【００５２】
移動中のＩＰ電話端末Ｔ１１は、再接続の要求をボタン電話装置ＢＴへ送信する。
【００５３】
ＩＰ電話端末Ｔ１１からの再接続の要求を受信したボタン電話装置ＢＴは、接続中端末情報データベース１４１を参照して、ＩＰ電話端末Ｔ２１の接続状態が「接続無し」である旨を確認し、移動元端末情報データベース１４３を参照して、復帰先がＩＰ電話端末Ｔ１１であることを確認し、ＩＰ電話端末Ｔ１１へ再接続受付けの旨のメッセージを送信すると共に接続中端末情報データベース１４１中のＩＰ電話端末Ｔ１１の運用状態を「接続中」に更新し、移動元端末情報データベース１４３を「無し」に更新する。
【００５４】
かくして、再接続受付の旨を受信したＩＰ電話端末Ｔ１１は、ボタン電話装置ＢＴと接続中になる。
【００５５】
以上のように上記第２の実施形態によれば、移動先のＩＰ電話端末Ｔ２１にてボタン電話装置ＢＴに対しログアウト要求を送出する操作を行なうだけで、簡単な操作手順により移動元のＩＰ電話端末Ｔ１１にて内線番号「ＤＮ２０００」を用いて通話することができる。
【００５６】
（第３の実施形態）  
図１０は、この発明の第３の実施形態として、ＩＰ電話端末Ｔ２１が接続中である時に、新たなＩＰ電話端末Ｔ３１が同一内線番号「ＤＮ２０００」で接続してきた場合のボタン電話装置ＢＴとＩＰ電話端末Ｔ１１，Ｔ２１，Ｔ３１との間の情報の送受信動作を示すシーケンス図である。
【００５７】
いま、ＩＰ電話端末Ｔ２１がボタン電話装置ＢＴに接続されているものとする。この状態で、ＩＰ電話端末Ｔ３１においてユーザが、「ＤＮ２０００」を用いてボタン電話装置ＢＴへのログイン操作を行なったとする。
【００５８】
そうすると、ＩＰ電話端末Ｔ３１からそのログイン要求がボタン電話装置ＢＴに送られる。このとき、ＩＰ電話端末Ｔ３１は、ログイン待ち状態となる。なお、上記ログイン要求には、ＩＰ電話端末Ｔ３１の識別情報及び「ＤＮ２０００」が含まれる。
【００５９】
上記ログイン要求を受信するとボタン電話装置ＢＴは、ログイン要求に含まれる「ＤＮ２０００」が接続中端末情報データベース１４１中に存在するか否かを判定し、存在する場合に、「ＤＮ２０００」に対応するＩＰ電話端末Ｔ２１が稼動中であるか否かを判定し、稼動中であれば、ＩＰ電話端末移動可否データベース１４４を参照し、その「ＤＮ２０００」の端末移動可否の設定状況を判定する。
【００６０】
ここで、移動可であれば、ボタン電話装置ＢＴは、パスワードの入力をＩＰ電話端末Ｔ３１へ要求し、パスワード入力待ち状態に入る。パスワード入力要求を受信するとＩＰ電話端末Ｔ３１は、パスワード入力の旨のメッセージを表示器に表示させる。
【００６１】
この状態でユーザが、ＩＰ電話端末Ｔ３１においてパスワードを入力したとする。そうするとＩＰ電話端末Ｔ３１は、パスワードをボタン電話装置ＢＴに送信し、パスワード受付待ちの状態に入る。
【００６２】
ボタン電話装置ＢＴは、ＩＰ電話端末移動パスワードデータベース１４２中の「ＤＮ２０００」に対応するパスワードとＩＰ電話端末Ｔ３１から送られたパスワードのチェックを行う。ここで、入力されたパスワードが正しい場合、ボタン電話装置ＢＴは、ＩＰ電話端末Ｔ２１に対し端末移動の要求を送信し、待ち状態に入る。
【００６３】
端末移動の要求を受信したＩＰ電話端末Ｔ２１は、端末移動のためのログアウト処理を実行し、端末移動の応答をボタン電話装置ＢＴに送信し、「端末移動中」の状態になる。
【００６４】
ＩＰ電話端末Ｔ２１からの端末移動の応答を受けたボタン電話装置ＢＴは、ＩＰ電話端末Ｔ３１に対しログインの応答を送信し、ＩＰ電話端末Ｔ３１と接続状態になる。
【００６５】
以後、ボタン電話装置ＢＴは、接続中端末情報データベース１４１に対しＩＰ電話端末Ｔ３１の識別情報に対応付けて「ＤＮ２０００」及び「接続中」を記憶する。さらに、ボタン電話装置ＢＴは、移動元端末情報データベース１４３へ移動元が「ＩＰ電話端末Ｔ１１」及び「ＩＰ電話端末Ｔ２１」である旨を記憶する。
【００６６】
移動中のＩＰ電話端末Ｔ１１，Ｔ２１は、定期的に再接続の要求をボタン電話装置ＢＴへ送信する。ＩＰ電話端末Ｔ１１，Ｔ２１からの再接続の要求を受けたボタン電話装置ＢＴは、「ＤＮ２０００」の接続状況を接続中端末情報データベース１４１から読出し、ＩＰ電話端末Ｔ３１が接続中であることを確認し、ＩＰ電話端末Ｔ１１，Ｔ２１へ再接続待ちの応答を行う。
【００６７】
以上のように上記第３の実施形態によれば、ＩＰ電話端末Ｔ２１からＩＰ電話端末Ｔ３１へとユーザが頻繁に移動することがあっても、ＩＰ電話端末Ｔ２１の運用状態を解除する操作を事前に行なう必要がなく、ＩＰ電話端末Ｔ３１からのログイン操作やパスワード入力といった簡単な操作手順により移動先のＩＰ電話端末Ｔ３１にて内線番号「ＤＮ２０００」を用いて通話することができる。
【００６８】
（第４の実施形態）  
この発明の第４の実施形態は、移動中のＩＰ電話端末Ｔ３１が接続中のボタン電話装置ＢＴとの接続を解除した場合に適用するものである。この第４の実施形態について、上記図８を参照して説明する。
【００６９】
この時、ボタン電話装置ＢＴは、移動元端末情報データベース１４３の１つ前の移動元から復帰先を読出し、復帰先がＩＰ電話端末Ｔ２１であることを確認し、ＩＰ電話端末Ｔ２１へ再接続受付けの旨のメッセージを送信すると共に接続中端末情報データベース１４１中のＩＰ電話端末Ｔ２１の運用状態を「接続中」に更新する。
【００７０】
かくして、再接続受付の旨を受信したＩＰ電話端末Ｔ２１は、ボタン電話装置ＢＴと接続中になる。
【００７１】
（第５の実施形態）  
図１１は、この発明の第５の実施形態として、移動中のＩＰ電話端末Ｔ３１が接続中のボタン電話装置ＢＴとの接続を解除し、ＩＰ電話端末Ｔ２１への復旧が不可能な場合のボタン電話装置ＢＴとＩＰ電話端末Ｔ１１，Ｔ２１，Ｔ３１との間の情報の送受信動作を示すシーケンス図である。
【００７２】
いま、ＩＰ電話端末Ｔ３１がボタン電話装置ＢＴに接続されているものとする。この状態で、ＩＰ電話端末Ｔ３１においてユーザが、ボタン電話装置ＢＴへのログアウト操作を行なったとする。
【００７３】
そうすると、ＩＰ電話端末Ｔ３１からそのログアウト要求がボタン電話装置ＢＴに送られる。このとき、ＩＰ電話端末Ｔ３１は、ログアウト待ち状態となる。
【００７４】
ログアウト要求を受信したボタン電話装置ＢＴは、ログアウトの要求を受付け、接続中端末情報データベース１４１のＩＰ電話端末Ｔ３１の運用状態を「接続無し」に更新し、ログアウトの受付の旨のメッセージをＩＰ電話端末Ｔ３１へ送信する。
【００７５】
ログアウト受付を受けたＩＰ電話端末Ｔ３１は、ログアウト処理を実行し、空き状態となる。
【００７６】
移動中のＩＰ電話端末Ｔ１１は、再接続の要求をボタン電話装置ＢＴへ送信する。なお、移動中のＩＰ電話端末Ｔ２１は、再接続の要求をボタン電話装置ＢＴへ送信しないものとする。
【００７７】
ＩＰ電話端末Ｔ１１からの再接続の要求を受信したボタン電話装置ＢＴは、接続中端末情報データベース１４１を参照して、ＩＰ電話端末Ｔ３１の接続状態が「接続無し」である旨を確認し、移動元端末情報データベース１４３を参照して、復帰先がＩＰ電話端末Ｔ１１であることを確認し、ＩＰ電話端末Ｔ１１へ再接続受付けの旨のメッセージを送信すると共に接続中端末情報データベース１４１中のＩＰ電話端末Ｔ１１の運用状態を「接続中」に更新し、移動元端末情報データベース１４３を「無し」に更新する。
【００７８】
かくして、再接続受付の旨を受信したＩＰ電話端末Ｔ１１は、ボタン電話装置ＢＴと接続中になる。
【００７９】
なお、移動元のＩＰ電話端末Ｔ１１，Ｔ２１からの「再接続要求」がすべてない場合には、ボタン電話装置ＢＴは移動元端末情報データベース１４３をすべてクリアし、移動状態の解除を行うこととなる。
【００８０】
以上のように上記第５の実施形態によれば、移動先に設置されるＩＰ電話端末Ｔ３１にてログアウト操作がなされ、かつ１つ前の移動元となるＩＰ電話端末Ｔ２１が復旧できない場合には、移動元端末情報データベース１４３中で蓄積管理された「ＩＰ電話端末Ｔ１１」及び「ＩＰ電話端末Ｔ２１」に関する情報を用いることで、保守員によるＩＰ電話端末Ｔ２１に対する復旧操作を待たずに移動元となるＩＰ電話端末Ｔ１１を迅速に復旧させることができる。
【００８１】
（その他の実施形態）  
なお、この発明は上記各実施形態に限定されるものではない。例えば、上記各実施形態では、移動先のＩＰ電話端末によるログイン操作、ログアウト操作を条件として接続中端末情報データベース及び移動元端末情報データベースを更新する例について説明した。しかしこれに限ることなく、例えば移動元のＩＰ電話端末にてログイン操作を行なうことで、接続中端末情報データベース及び移動元端末情報データベースを更新するようにしてもよい。それ以外の条件を用いて接続中端末情報データベース及び移動元端末情報データベースを更新するようにしてもよい。
【００８２】
また、上記各実施形態では、ＩＰ電話アプリケーションを搭載したパーソナル・コンピュータや音声信号を取り扱う電子機器にも適用できる。
【００８３】
その他、電話交換装置の種類（ボタン電話装置に限らずＰＢＸでもよい）及び機能構成、ＩＰ電話端末の種類、各種データベースの記憶内容、ＩＰ電話端末の接続変更制御手順等についても、この発明の要旨を逸脱しない範囲で種々変形して実施できる。
【図面の簡単な説明】
【００８４】
【図１】この発明の第１の実施形態に係わるＩＰ電話システムの概略構成図。
【図２】図１に示した接続中端末情報データベースの記憶内容の一例を示す図。
【図３】図１に示したＩＰ電話端末移動パスワードデータベースの記憶内容の一例を示す図。
【図４】図１に示した移動元端末情報データベースの記憶内容の一例を示す図。
【図５】図１に示したＩＰ電話端末移動可否データベースの記憶内容の一例を示す図。
【図６】同第１の実施形態において、ボタン電話装置に対し接続中にあるＩＰ電話端末を新たなＩＰ電話端末に切り替える際のボタン電話装置と複数のＩＰ電話端末との間の情報の送受信動作を示すシーケンス図。
【図７】同第１の実施形態におけるボタン電話装置及び複数のＩＰ電話端末それぞれの制御処理手順を示すフローチャート。
【図８】この発明の第２の実施形態における、ボタン電話装置と複数のＩＰ電話端末との間の情報の送受信動作を示すシーケンス図。
【図９】同第２の実施形態におけるボタン電話装置及び複数のＩＰ電話端末それぞれの制御処理手順を示すフローチャート。
【図１０】この発明の第３の実施形態における、ボタン電話装置と複数のＩＰ電話端末との間の情報の送受信動作を示すシーケンス図。
【図１１】この発明の第５の実施形態における、ボタン電話装置と複数のＩＰ電話端末との間の情報の送受信動作を示すシーケンス図。
【符号の説明】
【００８５】
１１…網インタフェース（Ｉ／Ｆ）部、１２…パケット処理部、１３…制御部、１４…記憶部、１５…データハイウェイ、１４１…接続中端末情報データベース、１４２…ＩＰ電話端末移動パスワードデータベース、１４３…移動元端末情報データベース、１４４…ＩＰ電話端末移動可否データベース、ＢＴ…ボタン電話装置、Ｔ１１〜Ｔ１ｉ，Ｔ２１、Ｔ３１…ＩＰ電話端末、ＩＰＮ…ＩＰ網。
【図１】
2007318612.tif 000003
【図２】
2007318612.tif 000004
【図３】
2007318612.tif 000005
【図４】
2007318612.tif 000006
【図５】
2007318612.tif 000007
【図６】
2007318612.tif 000008
【図７】
2007318612.tif 000009
【図８】
2007318612.tif 000010
【図９】
2007318612.tif 000011
【図１０】
2007318612.tif 000012
【図１１】
2007318612.tif 000013